(57)【要約】【課題】  音声出力をサポートしていない選択候補を非表示にし、ユーザを混乱させない音声切換えの選択画面を表示することができる、放送受信装置及び放送受信方法を提供する。【解決手段】  放送受信装置１は、放送信号に含まれる複数の音声アセットの中から、内部音声装置によって音声出力が可能である第１の出音可能アセットを抽出し、第１の出音可能アセットに基づいてユーザの指示入力によって選択される選択候補を生成し、選択候補を映像表示部７５に表示させる、制御部８１を有する。【選択図】図１
2019186832.tif 000002
【特許請求の範囲】
【請求項１】
放送信号に含まれる複数の音声アセットの中から、内部音声装置によって音声出力が可能である第１の出音可能アセットを抽出し、前記第１の出音可能アセットに基づいてユーザの指示入力によって選択される選択候補を生成し、前記選択候補を映像表示部に表示させる、制御部を有する、放送受信装置。
【請求項２】
前記制御部は、
前記放送信号に含まれる前記音声アセットの中から、前記内部音声装置によって音声出力が可能である前記第１の出音可能アセットを抽出し、
前記放送信号に含まれる前記音声アセットの中から、外部音声装置によって音声出力が可能である第２の出音可能アセットを抽出し、
前記第１の出音可能アセット及び前記第２の出音可能アセットに基づいて、前記選択候補を生成する、
請求項１に記載の放送受信装置。
【請求項３】
メモリを有し、
前記メモリは、前記内部音声装置から音声出力可能である前記音声アセットの情報を有するサポート情報を記憶し、
前記制御部は、前記放送信号に含まれる前記音声アセットの中から、前記サポート情報によってサポートしていることが示されている前記音声アセットを、前記第１の出音可能アセットとして、抽出する、
請求項１に記載の放送受信装置。
【請求項４】
前記制御部は、前記出音可能アセットに応じたアセット情報と、前記出音可能アセットの音声を出力する前記内部音声装置及び／又は前記外部音声装置の音声装置情報とを含む前記選択候補を、前記映像表示部に表示させる、請求項２に記載の放送受信装置。
【請求項５】
前記制御部は、前記選択候補を一覧形式にした選択画面を前記映像表示部に表示させる、請求項１に記載の放送受信装置。
【請求項６】
前記制御部は、前記ユーザの指示入力に応じ、前記選択候補がサイクリックに切り換わる選択画面を前記映像表示部に表示させる、請求項１に記載の放送受信装置。
【請求項７】
前記制御部は、前記選択候補のいずれかが前記ユーザの指示入力によって選択されると、前記選択候補に応じた前記音声アセットの音声出力に切り換える、請求項１に記載の放送受信装置。
【請求項８】
放送信号に含まれる複数の音声アセットの中から、内部音声装置によって音声出力が可能である第１の出音可能アセットを抽出し、
前記第１の出音可能アセットに基づいてユーザの指示入力によって選択される選択候補を生成し、
前記選択候補を映像表示部に表示させる、
放送受信方法。
【発明の詳細な説明】
【技術分野】
【０００１】
本発明の実施形態は、放送受信装置及び放送受信方法に関する。
【背景技術】
【０００２】
従来、テレビジョン放送による放送信号を受信する放送受信装置がある。放送信号に含まれる視聴コンテンツには、フォーマット及びチャンネルの異なる音声アセットが含まれることがある。
【０００３】
例えば、２０１８年１２月から実用放送の開始が予定されている超高精細の４Ｋ・８Ｋによる高度広帯域衛星デジタル放送では、ＡＡＣ１ｃｈ、ＡＡＣ２ｃｈ、ＡＡＣ５．１ｃｈ、ＡＡＣ７．１ｃｈ、ＡＡＣ２２．２、ＡＬＳ２ｃｈ、又は、ＡＬＳ５．１ｃｈのいずれかの音声アセットが含まれることがある。
【０００４】
放送受信装置では、音声切換えの選択画面に選択候補を表示し、ユーザの指示入力によって所望の音声アセットを選択し、この選択した音声をスピーカから出力させることがある。音声出力をサポートしていない選択候補が表示されると、選択画面は、ユーザを混乱させる懸念がある。
【先行技術文献】
【特許文献】
【０００５】
【特許文献１】特開２０１７−９８６０７号公報
【発明の概要】
【発明が解決しようとする課題】
【０００６】
実施形態は、音声出力をサポートしていない選択候補を非表示にし、ユーザを混乱させない音声切換えの選択画面を表示することができる、放送受信装置及び放送受信方法を提供することを目的とする。
【課題を解決するための手段】
【０００７】
実施形態の放送受信装置は、放送信号に含まれる複数の音声アセットの中から、内部音声装置によって音声出力が可能である第１の出音可能アセットを抽出し、前記第１の出音可能アセットに基づいてユーザの指示入力によって選択される選択候補を生成し、前記選択候補を映像表示部に表示させる、制御部を有する。
【図面の簡単な説明】
【０００８】
【図１】実施形態に関わる、放送受信装置の構成の一例を示すブロック図である。
【図２】実施形態に関わる、放送受信装置が受信する放送信号の音声モードと、音声モードに対応付けられた音声アセットを示す表である。
【図３】実施形態に関わる、放送受信装置におけるサポート情報の一例を示す図である。
【図４】実施形態に関わる、放送受信装置における選択画面出力処理の流れの一例を示すフローチャートである。
【図５】実施形態に関わる、放送受信装置における音声切換えの選択画面の一例を示す図である。
【図６】実施形態に関わる、放送受信装置における音声切換えの選択画面の一例を示す図である。
【図７】実施形態に関わる、放送受信装置における選択画面の切換え表示処理の流れの一例を示すフローチャートである。
【図８】実施形態に関わる、放送受信装置における表示画面の一例を示す図である。
【図９】実施形態に関わる、放送受信装置における表示画面の一例を示す図である。
【発明を実施するための形態】
【０００９】
（実施形態）
以下、図面を参照して実施形態を説明する。
【００１０】
（構成）
図１は、実施形態に関わる、放送受信装置１の構成の一例を示すブロック図である。
【００１１】
図１に示すように、放送受信装置１は、放送受信部１１、ＣＡＳモジュール２１、信号処理部３１、操作部４１、指示信号受信部５１、インターフェイス（以下「Ｉ／Ｆ」という）６１、映像音声出力部７１、及び、制御部８１を有する。インターフェイス６１には、外部音声装置であるサウンドシステム１０１が接続可能である。
【００１２】
放送受信部１１は、地上デジタルテレビジョン放送（地上デジタル放送）、ＢＳ／高度狭帯域ＣＳ／高度広帯域ＣＳデジタル放送（ＢＳ放送、ＣＳ放送）、高度広帯域ＢＳ放送及び高度広帯域ＣＳ放送等の放送信号を受信し、放送信号の中からユーザの所望のチャンネルの映像信号、音声信号及び制御情報を抽出して信号処理部３１に出力する。放送受信部１１は、入力端子１２、チューナー１３及び復調器１４を有する。
【００１３】
入力端子１２は、アンテナＡｎｔに接続され、アンテナＡｎｔによって受信した放送信号をチューナー１３に供給する。なお、図１ではアンテナＡｎｔが模式的に１つ表されるが、アンテナＡｎｔは、受信する放送信号に応じ、複数設けられてもよい。
【００１４】
チューナー１３は、放送受信部１１内に１又は複数設けられる。チューナー１３は、制御部８１の制御の下、放送信号の中からユーザの所望のチャンネルを選局し、選局された放送信号を復調器１４に出力する。
【００１５】
復調器１４は、高度広帯域ＢＳ放送及び高度広帯域ＣＳ放送において、チューナー１３から入力された放送信号を復調してＴＬＶストリーム（Ｔｙｐｅ  Ｌｅｎｇｔｈ  Ｖａｌｕｅ）に変換し、信号処理部３１に出力する。
【００１６】
復調器１４は、地上デジタル放送、ＢＳ放送、ＣＳ放送において、復調処理によって放送信号をトランスポートストリームに変換し、信号処理部３１に出力する。復調器１４は、送信時における変調方式に対応する復調方式で復調する。
【００１７】
ＣＡＳモジュール２１は、制御部８１の制御の下、ＴＬＶストリームをデスクランブルするための鍵情報を信号処理部３１に出力する回路である。
【００１８】
信号処理部３１は、ＴＬＶストリームのデスクランブル及びＴＬＶ／ＭＭＴ分離処理を行い、各種情報を取得する回路である。
【００１９】
より具体的には、信号処理部３１は、ＣＡＳモジュール２１から入力された鍵情報に基づいて、復調器１４から入力されたＴＬＶストリームをデスクランブルする。続いて、信号処理部３１は、デスクランブルしたＴＬＶストリームに基づいて、ＴＬＶ／ＭＭＴ分離処理によって映像信号、音声信号、字幕、文字スーパー、アプリケーションデータ及び制御情報を分離する。制御情報には、ＭＭＴ−ＳＩ（ＭＭＴ−Ｓｙｓｔｅｍ  Ｉｎｆｏｒｍａｔｉｏｎ）内のＭＰＴ（ＭＭＴ  Ｐａｃｋａｇｉｎｇ  Ｔａｂｌｅ）上にあるＭＨ−音声コンポーネント記述子も含まれる。信号処理部３１は、字幕、文字スーパー、アプリケーションデータ及び制御情報を制御部８１に出力する。
【００２０】
図２は、実施形態に関わる、放送受信装置１が受信する放送信号の音声モードと、音声モードに対応付けられた音声アセットを示す表である。図２では、主音声が２重円によって表される。
【００２１】
音声アセットは、音声フォーマット及びチャンネルに応じて異なる。図２では、「ＡＡＣ」がＭＰＥＧ−４ＡＡＣの音声フォーマットを示し、「ＡＬＳ」がＭＰＥＧ−４ＡＬＳの音声フォーマットを示す。また、図２では、「ｃｈ」がチャンネルを示す。
【００２２】
図２に示すように、放送信号には、音声モードに応じ、サイマルキャストされた複数の音声アセットが含まれることがある。放送信号の音声モードは、放送番組に応じて変わることがある。
【００２３】
信号処理部３１は、高能率符号化された映像信号及び音声信号をデコードして映像音声出力部７１に出力する。音声信号に複数の音声アセットが含まれるとき、信号処理部３１は、複数の音声アセットの中から、制御部８１の指示に応じた音声アセットの音声信号をデコードして映像音声出力部７１に出力する。
【００２４】
また、サウンドシステム１０１が接続されているとき、信号処理部３１は、複数の音声アセットの中から、制御部８１の指示に応じた音声アセットの音声信号をサウンドシステム１０１に出力する。
【００２５】
操作部４１は、放送受信装置１に設けられ、スイッチ、押しボタン、又は、ボタン画像等によって電源のオン／オフ、チャンネル切換え等の各種の指示入力ができるように構成される。指示入力があると、操作部４１は、指示信号を制御部８１に出力する。
【００２６】
指示信号受信部５１は、リモートコントローラＲｃから指示信号を受信する回路である。ユーザの指示入力があると、リモートコントローラＲｃは、例えば赤外線によって指示信号受信部５１に指示信号を出力する。リモートコントローラＲｃから入力があると、指示信号受信部５１は、制御部８１に指示信号を出力する。
【００２７】
Ｉ／Ｆ６１は、外部装置を接続する回路である。Ｉ／Ｆ６１は、制御部８１と接続され、制御部８１の制御の下、Ｉ／Ｆ６１に接続された外部装置との情報の入出力を行う。Ｉ／Ｆ６１は、カードＩ／Ｆ６２、通信Ｉ／Ｆ６３、ＵＳＢ  Ｉ／Ｆ６４、ＨＤＭＩ  Ｉ／Ｆ６５を有する。
【００２８】
カードＩ／Ｆ６２は、カードホルダを有し、カードホルダに保持されたＣＡＳカードＣｄ等のカードから情報を読み込む。
【００２９】
通信Ｉ／Ｆ６３は、電話線及びＬＡＮケーブル等の通信ケーブルが接続可能なネットワーク接続端子と接続され、インターネット等のネットワークを介してサーバＳｖと通信を行う。なお、通信Ｉ／Ｆ６３は、有線通信に限定されず、無線通信可能に構成してもよい。
【００３０】
ＵＳＢ  Ｉ／Ｆ６４は、ＵＳＢ接続によって外部装置を接続する。ＵＳＢ  Ｉ／Ｆ６４には、例えば、外部記憶装置Ｓｄが接続される。ＵＳＢ  Ｉ／Ｆ６４には、図示しないメモリカード等の外部装置が接続されてもよい。
【００３１】
ＨＤＭＩ  Ｉ／Ｆ６５は、ＨＤＭＩ（登録商標）接続によって外部装置を接続する。ＨＤＭＩ  Ｉ／Ｆ６５には、例えば、録画再生装置Ｒｄ、サウンドシステム１０１、又は、図示しない映像出力装置が接続される。
【００３２】
映像音声出力部７１は、映像信号及び音声信号に基づいて、映像コンテンツを出力する回路である。映像音声出力部７１は、ＯＳＤ信号生成部７２、グラフィック処理部７３、映像処理部７４、映像表示部７５、音声処理部７６、及び、内部音声装置であるスピーカ７７を有する。
【００３３】
ＯＳＤ信号生成部７２は、制御部８１の制御の下、映像信号に重畳する文字情報を生成し、グラフィック処理部７３に出力する。
【００３４】
グラフィック処理部７３は、信号処理部３１から入力された映像信号と、ＯＳＤ信号生成部７２から入力された文字情報やデータ放送等により生成されたグラフィックとを合成し、映像信号を映像処理部７４に出力する。
【００３５】
映像処理部７４は、グラフィック処理部７３から入力された映像信号に基づいて、表示画面を映像表示部７５に出力する。
【００３６】
映像表示部７５は、ＬＣＤパネル又はＯＬＥＤパネル等の表示パネルを有し、映像処理部７４から入力された表示画面を表示する。
【００３７】
音声処理部７６は、信号処理部３１及び制御部８１から入力された音声信号に高音質化処理や増幅処理等の処理を施した後、スピーカ７７に出力する。
【００３８】
スピーカ７７は、音声処理部７６から入力された音声信号に応じ、音声を出力する。
【００３９】
制御部８１は、放送受信装置１内の各部を制御する回路である。制御部８１は、プロセッサ８２及びメモリ８３を有する。制御部８１の機能は、プロセッサ８２がメモリ８３に記憶された各種プログラム及びデータを取得し、実行することによって実現される。制御部８１は、メモリ８３に記憶された各種のアプリケーションも実行可能である。なお、制御部８１には、さらにＨＤＤ等の内部記憶装置が設けられてもよい。
【００４０】
メモリ８３は、ＮＶＲＡＭ、フラッシュＲＯＭ等の読み書き可能な記憶素子を有する。メモリ８３には、放送受信装置１において実行される各種のアプリケーションのプログラムが記憶される。
【００４１】
また、メモリ８３には、放送受信装置１内の各部を制御するための情報やプログラムの他、選択画面出力部Ｐ１及び切換え表示部Ｐ２のプログラムと、サポート情報Ｔ１、音声アセットの各々に対応付けて予め設定した表示用のアセット情報も記憶される。
【００４２】
図３は、実施形態に関わる、放送受信装置１におけるサポート情報Ｔ１の一例を示す図である。サポート情報Ｔ１は、放送受信装置１が音声出力をサポートしている音声アセットの情報を有する。図３は、音声アセット「ＡＡＣ２ｃｈ」「ＡＡＣ５．１ｃｈ」の音声出力をサポートしていることを示すサポート情報Ｔ１の例である。
【００４３】
選択画面出力部Ｐ１は、放送信号に含まれる音声アセットの中から、音声出力をサポートしている出音可能アセットを抽出し、出音可能アセットに応じた音声切換えの選択画面を出力する、選択画面出力処理を行う。選択画面出力部Ｐ１は、選択候補を一覧形式にした選択画面を映像表示部７５に表示させる。
【００４４】
切換え表示部Ｐ２は、放送信号に含まれる音声アセットの中から、音声出力をサポートしている出音可能アセットを抽出し、出音可能アセットに応じ、音声切換えの選択画面において、切換え表示処理を行う。切換え表示部Ｐ２は、ユーザの指示入力に応じ、選択候補がサイクリックに切り換わる選択画面を映像表示部７５に表示させる。
【００４５】
出音可能アセットは、放送信号に含まれる音声アセットの中から抽出された、音声出力可能であり、ユーザの選択入力の候補となる音声アセットである。出音可能アセットは、第１の出音可能アセット及び第２の出音可能アセットを有する。実施形態の説明では、第１の出音可能アセット及び第２の出音可能アセットの両方又はいずれか一方を示すときには、出音可能アセットという。
【００４６】
第１の出音可能アセットは、放送受信装置１が音声出力をサポートしている、音声アセットである。
【００４７】
第２の出音可能アセットは、外部音声装置であるサウンドシステム１０１が音声出力をサポートしている、音声アセットである。
【００４８】
サウンドシステム１０１は、特に限定されないが、例えば、ＡＶアンプ、外付けスピーカ等の音声装置によって構成される。サウンドシステム１０１は、例えば、ＣＥＣ（Ｃｏｎｓｕｍｅｒ  Ｅｌｅｃｔｒｏｎｉｃｓ  Ｃｏｎｔｒｏｌ）技術に基づいて、制御部８１によって制御される。サウンドシステム１０１は、他の技術に基づいて、制御部８１に制御されてもよい。サウンドシステム１０１は、機器情報記憶部１０２、デコーダ１０３、外部スピーカ１０４を有する。
【００４９】
機器情報記憶部１０２は、ＲＯＭ等の記憶素子を有し、サウンドシステム１０１の識別情報及びサウンドシステム１０１がサポートしている音声アセットを示すサポート情報Ｔ２を記憶する。機器情報記憶部１０２は、サポート情報Ｔ２を含むＥＤＩＤ（Ｅｘｔｅｎｄｅｄ  Ｄｉｓｐｌａｙ  Ｉｄｅｎｔｉｆｉｃａｔｉｏｎ  Ｄａｔａ）を記憶したＥＤＩＤＲＯＭであってもよい。サウンドシステム１０１がＨＤＭＩ  Ｉ／Ｆ６５に接続されると、制御部８１は、機器情報記憶部１０２から、サウンドシステム１０１の識別情報及びサポートしている音声アセットを読み込むことが可能になる。
【００５０】
デコーダ１０３は、ＨＤＭＩ  Ｉ／Ｆ６５を介して信号処理部３１から入力された音声アセットの音声信号をデコードし、外部スピーカ１０４に出力する。
【００５１】
外部スピーカ１０４は、デコーダ１０３から入力された音声信号に応じ、音声を出力する。
【００５２】
すなわち、放送受信装置１は、放送信号に含まれる複数の音声アセットの中から、内部音声装置によって音声出力が可能である第１の出音可能アセットを抽出し、第１の出音可能アセットに基づいてユーザの指示入力によって選択される選択候補を生成し、選択候補を映像表示部７５に表示させる。
【００５３】
より具体的には、メモリ８３は、スピーカ７７から音声出力可能である音声アセットの情報を有するサポート情報Ｔ１を記憶し、制御部８１は、放送信号に含まれる音声アセットの中から、サポート情報Ｔ１によってサポートしていることが示されている音声アセットを、第１の出音可能アセットとして、抽出する。
【００５４】
また、放送受信装置１は、放送信号に含まれる音声アセットの中から、内部音声装置によって音声出力が可能である第１の出音可能アセットを抽出し、放送信号に含まれる音声アセットの中から、外部音声装置によって音声出力が可能である第２の出音可能アセットを抽出し、第１の出音可能アセット及び第２の出音可能アセットに基づいて、選択候補を生成する。
【００５５】
また、放送受信装置１は、出音可能アセットに応じたアセット情報と、出音可能アセットの音声を出力する内部音声装置及び／又は外部音声装置の音声装置情報とを含む選択候補を、映像表示部７５に表示させる。
【００５６】
また、放送受信装置１は、選択候補のいずれかがユーザの指示入力によって選択されると、選択候補に応じた音声アセットの音声出力に切り換える。
【００５７】
（動作）
放送受信装置１の選択画面出力処理について説明をする。
【００５８】
図４は、実施形態に関わる、放送受信装置１における選択画面出力処理の流れの一例を示すフローチャートである。図５及び図６は、実施形態に関わる、放送受信装置１における音声切換えの選択画面の一例を示す図である。
【００５９】
放送受信装置１を起動すると、制御部８１は、メモリ８３から選択画面出力部Ｐ１のプログラムを読み込み、実行する。
【００６０】
音声信号に含まれる音声アセットを検出する（Ｓ１）。信号処理部３１は、ＴＬＶストリーム又はトランスポートストリームから音声信号を分離する。制御部８１は、信号処理部３１によって分離された音声信号に含まれる、例えば、ＭＨ−音声コンポーネント記述子、他の制御情報、又は、音声信号に基づいて、音声アセットの音声フォーマット及びチャンネルを検出する。
【００６１】
メモリ８３から、放送受信装置１のサポート情報Ｔ１を読み込む（Ｓ２）。制御部８１によってメモリ８３に記憶されたサポート情報Ｔ１が読み込まれる。
【００６２】
サウンドシステム１０１の接続があるか否かを判定する（Ｓ３）。制御部８１は、ＨＤＭＩ  Ｉ／Ｆ６５から、サウンドシステム１０１の接続の有無を検出する。サウンドシステム１０１の接続があるとき（Ｓ３：ＹＥＳ）、処理はＳ４に進む。一方、サウンドシステム１０１の接続がないとき（Ｓ３：ＮＯ）、処理はＳ５に進む。
【００６３】
サウンドシステム１０１から、サポート情報Ｔ２を読み込む（Ｓ４）。制御部８１は、ＨＤＭＩ  Ｉ／Ｆ６５を介し、機器情報記憶部１０２からサウンドシステム１０１のサポート情報Ｔ２を読み込む。
【００６４】
音声信号に含まれる音声アセットの中から出音可能アセットを抽出する（Ｓ５）。制御部８１は、Ｓ１において検出した音声アセットの中から、サポート情報Ｔ１によってサポートしていることが示される音声アセットを、第１の出音可能アセットとして、抽出する。
【００６５】
サウンドシステム１０１の接続があるとき、制御部８１は、Ｓ１において検出した音声アセットの中から、サポート情報Ｔ２によってサポートしていることが示される音声アセットを、第２の出音可能アセットとして、抽出する。
【００６６】
出音可能アセットに対応付けられた選択候補を生成する（Ｓ６）。制御部８１は、出音可能アセットに対応付けられたアセット情報をメモリ８３から読み込む。制御部８１は、例えば、音声ｎ（ｎは自然数）のように設定された音声番号と、アセット情報を対応付け、選択候補を生成する。
【００６７】
また、制御部８１は、選択候補に、音声を出力する音声装置情報を加えてもよい。音声装置情報は、例えば、第１の出音可能アセットであれば、放送受信装置１を示す情報であり、第２の出音可能アセットであれば、サウンドシステム１０１を示す情報である。音声装置情報は、予めメモリ８３に記憶し、制御部８１によって機器情報記憶部１０２から読み込まれた識別情報に応じてメモリ８３から読み出されてもよい。
【００６８】
選択画面の表示指示をする（Ｓ７）。制御部８１は、Ｓ６において生成された選択候補をＯＳＤ信号生成部７２に出力し、選択画面の表示指示を行う。
【００６９】
ＯＳＤ信号生成部７２は、Ｓ７における制御部８１の指示に応じ、選択画面を生成する。ＯＳＤ信号生成部７２は、グラフィック処理部７３及び映像処理部７４を介し、映像表示部７５に選択画面を出力する。映像表示部７５は、選択画面を表示する。
【００７０】
例えば、放送信号の音声モードが「ＡＡＣ２２．２ｃｈ（２）２ｃｈ＋５ｃｈ」（図２のＭ１）であるとき、制御部８１は、音声信号から音声アセット「ＡＡＣ２ｃｈ」、「ＡＡＣ５．１ｃｈ」、「ＡＡＣ２２．２ｃｈ」を検出する（Ｓ１）。制御部８１は、音声アセット「ＡＡＣ２ｃｈ」、「ＡＡＣ５．１ｃｈ」をサポートしていることを示すサポート情報Ｔ１をメモリ８３から読み込む（Ｓ２）。サウンドシステム１０１が接続されていないとき、制御部８１は、Ｓ１及びＳ２の処理結果に基づいて、第１の出音可能アセット「ＡＡＣ２ｃｈ」、「ＡＡＣ５．１ｃｈ」を抽出する（Ｓ３：ＮＯ、Ｓ５）。「ＡＡＣ２ｃｈ」に対応付けられたアセット情報「ステレオ（２ｃｈ）」と、「ＡＡＣ５．１ｃｈ」に対応付けられたアセット情報「サラウンド（５．１ｃｈ）」とがメモリ８３から読み込まれる。制御部８１は、音声番号とアセット情報を対応付け、「音声１」、「ステレオ（２ｃｈ）」と、「音声２」、「サラウンド（５．１ｃｈ）」とからなる選択候補を生成する（Ｓ６）。制御部８１は、選択候補を出力し、ＯＳＤ信号生成部７２に選択画面の表示指示をする（Ｓ７）。図５に示すように、ＯＳＤ信号生成部７２は、制御部８１から入力された、選択候補を選択画面Ｇ１上に配置する。
【００７１】
ユーザは、リモートコントローラＲｃ又は操作部４１を介し、選択領域Ａを移動させ、所望の選択候補の選択を指示入力する。ユーザが指示入力すると、制御部８１は、信号処理部３１に、指示入力された選択候補に応じた音声アセットの音声信号のデコードを指示し、音声処理部７６に出力させる。音声処理部７６は、スピーカ７７から音声を出力させる。
【００７２】
例えば、上述と同様の放送信号を受信し、上述と同様のサポート情報Ｔ１を有している場合において、音声アセット「ＡＡＣ２ｃｈ」、「ＡＡＣ５．１ｃｈ」、「ＡＡＣ２２．２ｃｈ」をサポートしているサウンドシステム１０１がＨＤＭＩ  Ｉ／Ｆ６５に接続されていると、制御部８１は、サウンドシステム１０１からサポート情報Ｔ２を読み込む（Ｓ１とＳ２の説明は省略、Ｓ３：ＹＥＳ、Ｓ４）。制御部８１は、サポート情報Ｔ１、Ｔ２に基づいて、第１の出音可能アセット「ＡＡＣ２ｃｈ」、「ＡＡＣ５．１ｃｈ」と、第２の出音可能アセット「ＡＡＣ２ｃｈ」、「ＡＡＣ５．１ｃｈ」、「ＡＡＣ２２．２ｃｈ」を抽出する（Ｓ５）。「ＡＡＣ２ｃｈ」に対応付けられたアセット情報「ステレオ（２ｃｈ）」と、「ＡＡＣ５．１ｃｈ」に対応付けられた「サラウンド（５．１ｃｈ）」と、「ＡＡＣ２２．２ｃｈ」に対応付けられたアセット情報「サラウンド（２２．２ｃｈ）」とが、メモリ８３から読み込まれる。さらに、制御部８１は、第１の出音可能アセット及び第２の出音可能アセットの両方に含まれる「ＡＡＣ２ｃｈ」、「ＡＡＣ５．１ｃｈ」の音声装置情報を「ＴＶ  ｏｒ  Ｓｐｅａｋｅｒ」に決定する。また、第１の出音可能アセットに含まれず、第２の出音可能アセットに含まれる「ＡＡＣ２２．２ｃｈ」の音声装置情報を「Ｓｐｅａｋｅｒ  Ｏｎｌｙ」に決定する。制御部８１は、音声番号にアセット情報及び音声装置情報を対応付け、「音声１」、「ＡＡＣ２ｃｈ」、「ＴＶ  ｏｒ  Ｓｐｅａｋｅｒ」と、「音声２」、「ＡＡＣ５．１ｃｈ」、「ＴＶ  ｏｒ  Ｓｐｅａｋｅｒ」と、「音声３」、「ＡＡＣ２２．２ｃｈ」、「Ｓｐｅａｋｅｒ  Ｏｎｌｙ」と、からなる選択候補を生成する（Ｓ６）。制御部８１は、選択候補を出力し、ＯＳＤ信号生成部７２に選択画面の表示指示をする（Ｓ７）。図６に示すように、ＯＳＤ信号生成部７２は、制御部８１から入力された、選択候補を選択画面Ｇ２上に配置する。
【００７３】
ユーザが選択を指示した選択候補の音声装置情報が「Ｓｐｅａｋｅｒ  Ｏｎｌｙ」であるとき、制御部８１は、選択候補に応じた音声アセットの音声信号をサウンドシステム１０１に出力する。
【００７４】
ユーザが選択を指示した選択候補の音声装置情報が「ＴＶ  ｏｒ  Ｓｐｅａｋｅｒ」であるとき、制御部８１は、信号処理部３１に選択候補に応じた音声アセットの音声信号のデコードを指示し、スピーカ７７から出力させ、また、選択候補に応じた音声アセットの音声信号をサウンドシステム１０１に出力する。なお、ユーザの指示入力に応じ、スピーカ７７及びサウンドシステム１０１の両方から音声出力をさせてもよいし、スピーカ７７及びサウンドシステム１０１のいずれか一方から音声出力をさせてもよい。
【００７５】
次に、放送受信装置１の選択画面の切換え表示処理について説明をする。
【００７６】
図７は、実施形態に関わる、放送受信装置１における選択画面の切換え表示処理の流れの一例を示すフローチャートである。図８及び図９は、実施形態に関わる、放送受信装置１における表示画面Ｇ３、Ｇ４の一例を示す図である。
【００７７】
切換え表示処理は、リモートコントローラＲｃ又は操作部４１による指示入力に応じ、選択候補をサイクリックに切換えて表示する。
【００７８】
放送受信装置１を起動すると、制御部８１は、選択画面出力部Ｐ１のＳ１〜Ｓ６の処理により、選択候補を取得する。また、制御部８１は、メモリ８３から切換え表示部Ｐ２のプログラムを読み込み、実行する。
【００７９】
音声切換えの指示入力があるか否かを判定する（Ｓ１１）。制御部８１は、ユーザの音声切換えの指示入力があるか否かを判定する。ユーザの指示入力は、例えば、リモートコントローラＲｃの音声切換えボタンの押下である。指示入力がないとき（Ｓ１１：ＮＯ）、Ｓ１１の処理は、繰り返される。指示入力があるとき（Ｓ１１：ＹＥＳ）、処理はＳ１２に進む。
【００８０】
カウンタを１つ加算する（Ｓ１２）。制御部８１は、カウンタを１つ加算する。
【００８１】
カウンタが選択候補の数を超えたか否かを判定する（Ｓ１３）。カウンタが選択候補の数を超えたとき（Ｓ１３：ＹＥＳ）、処理はＳ１４に進む。一方、カウンタが選択候補の数を超えていないとき（Ｓ１３：ＮＯ）、処理はＳ１５に進む。
【００８２】
カウンタを１に戻す（Ｓ１４）。制御部８１は、カウンタを１に戻す。
【００８３】
カウンタに対応付けられた選択候補を表示する（Ｓ１５）。Ｓ１５では、例えばカウンタが１であれば「音声１」の選択候補、カウンタが２であれば「音声２」の選択候補等のように、カウンタに対応付けられた選択候補を映像表示部７５に表示させる。Ｓ１５の後、処理はＳ１１に戻る。
【００８４】
Ｓ１１〜Ｓ１５の繰返しに応じ、アセット情報の表示がサイクリックに切り換わり、選択候補の切り換わりに合わせて音声出力も切り換わる。
【００８５】
例えば、図５と同様に、選択候補が２つあるとき、ユーザが指示入力をすると、制御部８１は、カウンタを１つ加算して１にする（Ｓ１１、Ｓ１２）。図８の表示画面Ｇ３に示すように、制御部８１は、カウンタに対応付けられた「音声１」、「ステレオ（２ｃｈ）」を映像表示部７５に表示させる（Ｓ１３：ＮＯ、Ｓ１５）。制御部８１は、信号処理部３１に指示を行い、音声出力も切り換える。さらに、ユーザが、指示入力をすると、制御部８１は、カウンタを１つ加算して２とし、「音声２」、「サラウンド（５．１ｃｈ）」に表示を切り換え、音声出力も切り換える。さらに、ユーザが音声切換えの指示入力をすると、カウンタが３になって選択候補の数を超え（Ｓ１１：ＹＥＳ、Ｓ１２、Ｓ１３：ＹＥＳ）、カウンタが１に戻り（Ｓ１４）、制御部８１は、「音声１」、「ステレオ（２ｃｈ）」に表示を切り換え、音声出力も切り換える。
【００８６】
例えば、図６と同様に、出音可能アセットが３つあるとき、ユーザが指示入力をすると、「音声１」、「ステレオ（２ｃｈ）」、「ＴＶ  ｏｒ  Ｓｐｅａｋｅｒ」が表示され、音声出力も切り換わる（図９の表示画面Ｇ４）。さらに、ユーザが指示入力をすると、「音声２」、「サラウンド（５．１ｃｈ）」、「ＴＶ  ｏｒ  Ｓｐｅａｋｅｒ」に表示が切り換わり、音声出力も切り換わる。さらに、ユーザが音声切換えの指示入力をすると、「音声３」、「サラウンド（２２．２ｃｈ）」、「Ｓｐｅａｋｅｒ  Ｏｎｌｙ」に表示が切り換わり、音声出力も切り換わる。
【００８７】
すなわち、放送受信方法は、放送信号に含まれる複数の音声アセットの中から、内部音声装置によって音声出力が可能である第１の出音可能アセットを抽出し、第１の出音可能アセットに基づいてユーザの指示入力によって選択される選択候補を生成し、選択候補を映像表示部７５に表示させる。
【００８８】
上述の実施形態によれば、放送受信装置１は、音声出力をサポートしていない選択候補を非表示にし、ユーザを混乱させない音声切換えの選択画面を表示することができる。
【００８９】
なお、実施形態では、第１及び第２の出音可能アセットが抽出される例を説明したが、他の外部音声装置が接続されているときには、他の外部音声装置がサポートしている音声アセットに応じた、第３の出音可能アセットが抽出されてもよい。
【００９０】
なお、実施形態では、音声装置情報「ＴＶ  ｏｒ  Ｓｐｅａｋｅｒ」、「Ｓｐｅａｋｅｒ  Ｏｎｌｙ」の例を説明したが、放送受信装置１から音声を出力し、サウンドシステム１０１から音声を出力しないことを示す「ＴＶ  Ｏｎｌｙ」があってもよい。
【００９１】
また、音声装置情報は、「ＴＶ  ｏｒ  Ｓｐｅａｋｅｒ」、「Ｓｐｅａｋｅｒ  Ｏｎｌｙ」、「ＴＶ  Ｏｎｌｙ」に限定されず、他の音声装置情報であってもよい。
【００９２】
なお、実施形態では、音声装置情報は、「ＴＶ  ｏｒ  Ｓｐｅａｋｅｒ」等の文字列によって表示されるが、接続された音声装置の名称又は機種を示す文字列によって表示されてもよいし、アイコンによって表示されてもよい。
【００９３】
なお、実施形態では、音声装置であるサウンドシステム１０１の接続によって音声装置情報が表示される例を説明した。接続された音声装置が取り外されたとき、音声装置情報は、表示又は非表示のいずれかになるように設定してもよい。また、音声装置情報の表示又は非表示の設定は、ユーザによって指示入力できるようにしてもよい。
【００９４】
なお、実施形態では、サウンドシステム１０１がＨＤＭＩ  Ｉ／Ｆ６５を介して接続される例を説明したが、これに限定されない。サウンドシステム１０１は、他の接続方式によって放送受信装置１と接続されてもよい。
【００９５】
なお、実施形態では、制御部８１の各処理部の機能は、プログラムを実行することにより実現されるが、各処理部の一部又は全部の機能が、回路により実現されても構わない。
【００９６】
本発明の実施形態を説明したが、これらの実施形態は、例として示したものであり、本発明の範囲を限定することは意図していない。これら新規の実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９７】
１・・・放送受信装置、１１・・・放送受信部、１２・・・入力端子、１３・・・チューナー、１４・・・復調器、２１・・・ＣＡＳモジュール、３１・・・信号処理部、４１・・・操作部、５１・・・指示信号受信部、６１・・・インターフェイス、６２・・・カードＩ／Ｆ、６３・・・通信Ｉ／Ｆ、６４・・・ＵＳＢ  Ｉ／Ｆ、６５・・・ＨＤＭＩ  Ｉ／Ｆ、７１・・・映像音声出力部、７２・・・ＯＳＤ信号生成部、７３・・・グラフィック処理部、７４・・・映像処理部、７５・・・映像表示部、７６・・・音声処理部、７７・・・スピーカ、８１・・・制御部、８２・・・プロセッサ、８３・・・メモリ、１０１・・・サウンドシステム、１０２・・・機器情報記憶部、１０３・・・デコーダ、１０４・・・外部スピーカ、Ａ・・・選択領域、Ａｎｔ・・・アンテナ、Ｃｄ・・・ＣＡＳカード、Ｇ１、Ｇ２・・・選択画面、Ｇ３、Ｇ４・・・表示画面、Ｐ１・・・選択画面出力部、Ｐ２・・・切換え表示部、Ｒｃ・・・リモートコントローラ、Ｒｄ・・・録画再生装置、Ｓｄ・・・外部記憶装置、Ｓｖ・・・サーバ、Ｔ１、Ｔ２・・・サポート情報
【図１】
2019186832.tif 000003
【図２】
2019186832.tif 000004
【図３】
2019186832.tif 000005
【図４】
2019186832.tif 000006
【図５】
2019186832.tif 000007
【図６】
2019186832.tif 000008
【図７】
2019186832.tif 000009
【図８】
2019186832.tif 000010
【図９】
2019186832.tif 000011